(57)【要約】【課題】  電池消耗時に居住者が締め出されて屋内に入れなくなってしまう事態を完全に防止しうる電池駆動電気錠の電源装置を提供する。【解決手段】  電池駆動電気錠にメインの電池（主電池）３と予備の電池１０とを併設し、メインの電池３は電気錠の制御装置４に常時接続する一方、予備の電池１０と開閉スイッチ１１とを直列に接続したものをメインの電池３に並列に接続し、上記開閉スイッチ１１の操作部材１２を室外側の電気錠本体に設ける。【選択図】  図２
2011163110.tif 000002
【特許請求の範囲】
【請求項１】
電池駆動電気錠にメインの電池（主電池）と予備の電池とを併設し、メインの電池は電気錠の制御装置に常時接続する一方、予備の電池と開閉スイッチとを直列に接続したものをメインの電池に並列に接続し、上記開閉スイッチの操作部材を室外側の電気錠本体に設けたことを特徴とする電池駆動電気錠の電源装置。
【請求項２】
電池駆動電気錠にメインの電池（主電池）と予備の電池とを併設し、メインの電池は電気錠の制御装置に常時接続する一方、予備の電池、開閉スイッチ及びメインの電池の電圧によって開閉制御され、メインの電池の電源が一定値より下降したとき閉成されるスイッチング装置を直列に接続したものをメインの電池に並列に接続し、上記開閉スイッチの操作部材を室外側の電気錠本体に設けたことを特徴とする電池駆動電気錠の電源装置。
【発明の詳細な説明】
【技術分野】
【０００１】
この発明は、電池駆動電気錠の電源装置（以下単に電源装置という）に係り、特に、電池消耗時に居住者が締め出されて屋内に入れなくなってしまう事態を完全に防止しうる電源装置に関する。
【背景技術】
【０００２】
近年所謂電気錠が普及し始めていることは周知であるが、電気錠の電源装置としては、商用電源による給電装置と電池の両方がある。
【先行技術文献】
【特許文献】
【０００３】
【特許文献１】特開平０２−０６６２７６
【特許文献２】特願２０１０−００６２８０
【発明の概要】
【発明が解決しようとする課題】
【０００４】
上記商用電源による電源装置は、通常、家屋やビルディングの新築時以外にはその設置ができないか、或いは少なくとも困難であり、また、停電などに備えて充電装置を備えた予備の電池を有する、等構造が複雑でまた高価である。
【０００５】
一方、電池駆動電気錠は、構造が簡単でかつコンパクトであり、しかも、既設のシリンダ錠との交換も容易である、という利点があるものの、電池が消耗してしまうと、電池を室外側から交換できないので、居住者が締め出されてしまう、という不都合があり、この締め出しは、例えば冬の寒い日の深夜等においては深刻である。
【０００６】
通常の電池駆動電気錠は電池の消耗度を示す表示があるが、この表示の点滅を見ても或いは見過ごし、または後で交換しようと思っていても何時しか忘れたりして上記締め出しに到る場合が多い。
【０００７】
上記特許文献１に記載の発明は、この締め出しを防止するためになされたもので、メインの電池の他に予備の電池を備え、メインの電池の消耗を検出してそれが一定値以上になると予備の電池に切り替えて電池交換を促す表示を出す、というものである。
【０００８】
しかしながら、特許文献１に記載された電気錠は、要するに従来の電池駆動電気錠を電池を単一にしてその容量を２倍にしたと同様で、締め出しを防止することはできない。
【０００９】
そこで、この発明は、電池消耗時に居住者が締め出されて屋内に入れなくなってしまう事態を完全に防止しうる電源装置を提供することを目的としている。
【課題を解決するための手段】
【００１０】
上記の目的を達成するため、この発明は、電池駆動電気錠にメインの電池（主電池）と予備の電池とを併設し、メインの電池は電気錠の制御装置に常時接続する一方、予備の電池と開閉スイッチとを直列に接続したものをメインの電池に並列に接続し、上記開閉スイッチの操作部材を室外側の電気錠本体に設けたことを特徴とする。
【発明の効果】
【００１１】
上記のように構成されたこの発明による電源装置は、メインの電池が完全に消耗したときでも、開閉スイッチの操作部材を操作することにより予備の電池をメインの電池に切り替えることができ、操作部材の操作をしながら電気錠の解錠操作をすることにより電気錠を解錠することができるので、電池の消耗時でも締め出しを完全に防止することができる。
【００１２】
また、請求項２に記載の発明による電源装置は、メインの電池の電圧が一定値以下に下降したときにのみ予備の電池が電気錠の制御装置に接続されるようにしたので、悪戯により操作部材を操作することによる予備の電池の消耗を防止できる。
【００１３】
また、構成が非常に簡単であると共に、従来の電池駆動電気錠の電池消耗度を示す表示による電池交換も妨げない、等種々の効果を奏する。
【図面の簡単な説明】
【００１４】
【図１】この発明の一実施例による電池駆動電気錠の正面図。
【図２】その構成を説明するためのブロック図。
【図３】請求項２に記載の発明の構成を説明するためのブロック図。
【発明を実施するための形態】
【００１５】
電池駆動電気錠にメインの電池（主電池）と予備の電池とを併設し、メインの電池は電気錠の制御装置に常時接続する一方、予備の電池と開閉スイッチとを直列に接続したものをメインの電池に並列に接続し、上記開閉スイッチの操作部材を室外側の電気錠本体に設けることにより、電池消耗時における締め出しを完全に防止することができた。
【実施例１】
【００１６】
図１はテンキーボードを入力装置とする電池駆動電気錠の正面図を示し、図１に示す電気錠の室外側の外ケース１のテンキーボード２の例えば左下隅のＣを押すことによりメインの電池３が制御装置４（図２参照）に投入される。
【００１７】
次いで、テンキーボード２を介して、入力暗証番号ＩＮ（たとえば７８０９）を受信した比較手段５は、あらかじめメモリ６に蓄積されていた設定暗証番号と入力暗証番号ＩＮとを比較し、これらが同一であれば増幅器７を介して解錠信号ＵＬを電磁アクチュエータ８に供給する。
【００１８】
そこで、ソレノイドやマイクロモータなどの電磁アクチュエータは、デッドボルト等の施錠部材の制御部材を解錠方向に動かし、例えばハンドル９（図１参照）を時計方向に回すことにより扉を解錠する。
【００１９】
なお、暗証番号の入力装置はテンキーボードに限らず、例えばカードリーダーや他の入力装置を利用することができ、かかる電池駆動電気錠の構成は周知であるから、更に詳細な説明は省略する。
【００２０】
本発明の特徴的な構成は、図２に示すように、予備の電池１０と開閉スイッチ１１を直列に接続したものを、メインの電池３に並列に接続した点にある。
【００２１】
上記開閉スイッチ１１は、室外側の電気錠の本体下面に設けた例えば押釦等の操作部材１２を押し上げることにより閉成されるものとする。
【００２２】
上記のように構成されたこの発明の一実施例による電源装置は、メインの電池３が完全に消耗して起電力がゼロになってしまっても、開閉スイッチ１１を押しボタン１２によって閉成することにより、予備の電池１０を電気的にメインの電池３に切り替えることができ、前述したように、電気錠の機能により解錠して室内に入ることができる。
【００２３】
なお、予備の電池に十分な起電力が残っている間は入室毎に押しボタン１２を操作しながらの解錠操作が可能であるが、なるべくは、早目にメインの電池を予備の電池に置き換え、新しく購入した新品の電池を、それまで予備の電池を装填していたホルダーに装着するのが望ましい。
【実施例２】
【００２４】
図３は請求項２に記載の発明の構成の一例を示すブロック図で、図３において符号１３は電気的開閉器を示し、この開閉器１３は、前記予備の電池１０と開閉スイッチ１１に直列に接続され、このように直列に接続された予備の電池、開閉器１３及び予備の電池１０は、メインの電池３に並列に接続されている。
【００２５】
上記開閉器１３は、例えば何れも図示しない第１及び第２スイッチング素子を並列に接続したものを具備しており、その内第１スイッチング素子は、開閉スイッチ１１が閉成されると無条件に閉成され、内蔵された図示しないタイマーが作動する一定時間その閉成を維持するように構成されている。
【００２６】
一方、メインの電池３から出力電圧ＶＳを取り出し、これを電圧測定集積回路（以下電圧測定ＩＣという）１４の入力端子に供給する。
【００２７】
そして、上記出力電圧ＶＳが一定値以下のときには電圧測定ＩＣ１４の出力端子からセット信号ＳＳを取りだし、これをセットリセット型のフリップフロップ１５のセット入力端子に供給し、得られたセット出力を上記開閉器１３の第２スイッチング素子の制御信号入力端子に供給し、開閉器１３を閉成させる。
【００２８】
上記のように構成された請求項２に記載の電源装置は、メインの電池３の電圧が下降すると開閉器１３が閉成され、開閉スイッチ１１を閉成することにより予備の電池１０を制御装置４に接続して、メインの電池３が消耗した場合でも電気錠を施解錠できる。
【００２９】
一方、上記電圧ＶＳが一定値より大きい場合には、電圧測定ＩＣ１４からリセット信号ＲＳがフリップフロップ１５のリセット信号端子に供給され、セット信号ＳＳが消失する結果、開閉器１３が開いて予備の電池１０が作動しなくなる。
【００３０】
その結果、悪戯により操作部材１２を押動操作しても、予備の電池１０が消耗することがない。
【符号の説明】
【００３１】
１  外ケース
２  テンキーボード
３  メインの電池
４  制御装置
５  比較手段
６  メモリ
７  増幅器
８  電磁アクチュエータ
９  ハンドル
１０  予備の電池
１１  開閉スイッチ
１２  操作部材
１３  開閉器
１４  電圧測定ＩＣ
１５  フリップフロップ
【図１】
2011163110.tif 000003
【図２】
2011163110.tif 000004
【図３】
2011163110.tif 000005